(57)【要約】【課題】本発明は、ホワイトボードや家具等に取り付けるマグネットや粘着材付きの部材・クリップ・小物入れ・フック等に、発光ダイオードや電球等の発光体を取り付けて、より一層目立たせ、引き立たせて注目させることができる発光ホルダーを得るにある。【解決手段】マグネットと、そのマグネットを取り付けたホルダー本体と、そのホルダー本体に取付けた発光ダイオードや電球等の発光体と、その発光体に電気を供給するバッテリーやソーラーパネル等の電源とで発光ホルダーを構成している。【選択図】  図３
2004342568.tif 000002
【特許請求の範囲】
【請求項１】
マグネットと、そのマグネットを取り付けたホルダー本体と、そのホルダー本体に取付けた発光ダイオードや電球等の発光体と、その発光体に電気を供給するバッテリーやソーラーパネル等の電源とからなることを特徴とする発光ホルダー。
【請求項２】
マグネットと、そのマグネットを取り付けたホルダー本体と、そのホルダー本体に取付けた発光ダイオードや電球等の発光体と、その発光体に電気を供給するバッテリーやソーラーパネル等の電源と、前記ホルダー本体に取付けたメモや紙等を挟めるクリップとからなることを特徴とする発光ホルダー。
【請求項３】
マグネットと、そのマグネットを取り付けたメモや紙等を挟めるクリップと、そのクリップに取付けた発光ダイオードや電球等の発光体と、その発光体に電気を供給するバッテリーやソーラーパネル等の電源とからなることを特徴とする発光ホルダー。
【請求項４】
マグネットと、そのマグネットを取り付けたホルダー本体と、そのホルダー本体に取付けた発光ダイオードや電球等の発光体と、その発光体に電気を供給するバッテリーやソーラーパネル等の電源と、前記ホルダー本体に取付け物を吊せるフックもしくは、物を入れる小物入れとからなることを特徴とする発光ホルダー。
【請求項５】
前記発光体を点滅させることができる点滅装置を備えたことを特徴とする請求項１、２、３、４記載の発光ホルダー。
【請求項６】
前記マグネットを粘着材、もしくは吸盤、もしくは止め針としたことを特徴とする請求項１、２、３、４、５記載の発光ホルダー。
【発明の詳細な説明】
【０００１】
【発明の属する技術分野】
本発明は、メモや紙等をホワイトボードや家具等に取り付けたり、文具や小物を収容したり吊したりすることができるホルダーに関する。
【０００２】
【従来の技術】
従来のメモや紙等を止めるメモホルダーには、磁性金属面にメモ等紙片を止めておいたり図面を製図板に固定したりする場合に用いるマグネット付き押止具がある（特許文献１参照。）。また、伝票等の書類をひとまとめに保持すると共に、メモ用紙等の小型用紙を保持できるようにしたクリップとマグネットで構成したものがある（例えば特許文献２参照。）。また、マグネットや粘着材、吸盤付きのメモホルダーや小物入れ、フックなどは一般によく知られている。しかし、それらの物をより一層引き立たせて、注目させる発光体が取付けられている物はなかった。
【０００３】
【特許文献１】特願平１１−２７９６４０号公報
【０００４】
【特許文献２】特願平０４−０６７７７４号公報
【０００５】
【発明が解決しようとする課題】
従来、メモや紙等を、ホワイトボードや家具等に、マグネットや粘着材付きの部材で止めたり、メモや紙等をクリップで挟んで、そのクリップをマグネットや粘着材付きの部材で取り付ける物がある。また、文具や小物を収容したり吊したりすることができるマグネットや粘着材付きの部材がある。しかし、それらのマグネットや粘着材付きの部材・クリップ・小物入れ・フック等には、色や模様をつけてあるだけなので、目立ちにくかったり、引き立たせて注目させにくいという欠点があった。
【０００６】
本発明は以上のような従来の欠点に鑑み、ホワイトボードや家具等に取り付けるマグネットや粘着材付きの部材・クリップ・小物入れ・フック等に、発光ダイオードや電球等の発光体を取り付けて、より一層目立たせ、引き立たせて注目させることができる発光ホルダーを提供することを目的としている。
【０００７】
本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【０００８】
【課題を解決するための手段】
上記目的を達成するために、請求項１記載の発明は、マグネットと、そのマグネットを取り付けたホルダー本体と、そのホルダー本体に取付けた発光ダイオードや電球等の発光体と、その発光体に電気を供給するバッテリーやソーラーパネル等の電源とで発光ホルダーを構成している。
【０００９】
請求項２記載の発明は、マグネットと、そのマグネットを取り付けたホルダー本体と、そのホルダー本体に取付けた発光ダイオードや電球等の発光体と、その発光体に電気を供給するバッテリーやソーラーパネル等の電源と、前記ホルダー本体に取付けたメモや紙等を挟めるクリップとで発光ホルダーを構成している。
【００１０】
請求項３記載の発明は、マグネットと、そのマグネットを取り付けたメモや紙等を挟めるクリップと、そのクリップに取付けた発光ダイオードや電球等の発光体と、その発光体に電気を供給するバッテリーやソーラーパネル等の電源とで発光ホルダーを構成している。
【００１１】
請求項４記載の発明は、マグネットと、そのマグネットを取り付けたホルダー本体と、そのホルダー本体に取付けた発光ダイオードや電球等の発光体と、その発光体に電気を供給するバッテリーやソーラーパネル等の電源と、前記ホルダー本体に取付け物を吊せるフックもしくは、物を入れる小物入れとで発光ホルダーを構成している。
【００１２】
請求項５記載の発明は、請求項１、２、３、４に係わる発明であり、前記発光体を点滅させることができる点滅装置を備えたことで発光ホルダーを構成している。
【００１３】
請求項６記載の発明は、請求項１、２、３、４、５に係わる発明であり、前記マグネットを粘着材、もしくは吸盤、もしくは止め針としたことで発光ホルダーを構成している。
【００１４】
【発明の実施の形態】
以下、図面に示す実施の形態により、本発明を詳細に説明する。
【００１５】
図１ないし図３に示す本発明の第１の実施形態において、１は鉄に着脱可能なマグネットで、このマグネット１はホルダー本体２に取り付けられている。
【００１６】
２ａは前記ホルダー本体２に設けられた開口部で、この開口部２ａの中に発光体としての発光ダイオード３が前記ホルダー本体２の外側から発光が見えるように取付けられている。前記発光ダイオード３と、前記ホルダー本体２の内側に取り付けられたスイッチ５は電線４ａで通電可能に結ばれている。
【００１７】
５ａは、前記スイッチ５のＯＮ・ＯＦＦ操作部で、このＯＮ・ＯＦＦ操作部５ａは前記ホルダー本体２に設けられた開口部２ｂを貫通して外部に露出している。
【００１８】
６は前記発光ダイオード３に電気を供給する電源としてのバッテリーで、このバッテリー６と前記スイッチ５とは電線４ｂで通電可能に結ばれている。
【００１９】
上記構成の発光ホルダー７Ａを使用する場合、メモや紙等１７をホワイトボードや家具等の鉄部１８にあてがい、その上からホルダー本体２に取付けたマグネット１で磁着し固定する。ＯＮ・ＯＦＦ操作部５ａを操作してＯＮにすると、バッテリー６から供給された電気によりホルダー本体２に取り付けた発光ダイオード３が発光する。
【００２０】
発光ダイオード３の発光により、ホルダー本体２が一層目立つと共に、メモや紙等１７も一層目立つようになる。したがって、メモや紙等１７がより一層引き立って強調され、着目されるので、メモや紙等１７に記載された内容を伝達しやすくなり、見忘れも防止できる。他のメモや紙等より一層目立つので、それらを探しやすくなる。また、ホワイトボード等に記入した文字や絵などの近くに取り付けて発光させることにより、その文字や絵などを一層目立たせ、引き立たせて強調させることもできる。
【００２１】
【発明の異なる実施の形態】
次に、図４ないし図２１に示す本発明の異なる実施の形態について説明する。なお、これらの本発明の異なる実施の形態の説明に当たって、前記本発明の第１の実施の形態と同一構成部分には同一符号を付して重複する説明を省略する。
【００２２】
図４および図５に示す本発明の第２の実施形態において、前記本発明の第１の実施の形態と主に異なる点は、スイッチ５に電線４ｂで通電可能に接続した点滅装置８と、その点滅装置８に電線４ｄで通電可能に接続した前記バッテリー６と、そのバッテリー６と電線４ｃで通電可能に接続した発電用ソーラーパネル９と、そのソーラーパネル９がホルダー本体２に取り付けられている点で、このように構成した発光ホルダー７Ｂは、点滅装置８により発光ダイオード３が点滅するので、ホルダー本体２と、メモや紙等がより一層目立ち、引き立って強調され着目されるようになるとともに、前記本発明の第１の実施の形態と同様な作用効果が得られる。
【００２３】
また、日光や室内照明によりソーラーパネル９で発電した電気をバッテリー６に充電できるので、電圧の低下によるバッテリー６の交換が不要になる。
なお、バッテリー６を省略してソーラーパネル９からスイッチ５に電線４ｂで通電可能に接続して電気を供給してもよい。そうすることにより、ホルダー本体２の重量が軽減できコストも削減できる。
【００２４】
図６および図７に示す本発明の第３の実施形態において、前記本発明の第１の実施の形態と主に異なる点は、ホルダー本体２に結合具１０で結合したクリップ基部１１ａと、そのクリップ基部１１ａに取付けたリブ１１ｂ、１１ｂと、クリップ押さえ部１１ｃに取付けたリブ１１ｄ、１１ｄと、前記リブ１１ｂ、１１ｂ、１１ｄ、１１ｄを貫通して回動可能に取付けた枢支ピン１１ｅと、前記クリップ基部１１ａと前記クリップ押さえ部１１ｃでメモや紙等を挟んで保持できるようにするバネ１１ｆとした点で、このように構成した発光ホルダー７Ｃは、鉄とマグネット１との間だけでなく、クリップにもメモや紙等を挟んで保持できるので、より一層多くのメモや紙等が着目されるようになるとともに、前記本発明の第１の実施の形態と同様な作用効果が得られる。
【００２５】
図８および図９に示す本発明の第４の実施形態において、前記本発明の第３の実施の形態と主に異なる点は、クリップ基部１１ａをホルダー本体２とした点で、このように構成した発光ホルダー７Ｄは、部品数が少なくなり安価に製造できるとともに、前記本発明の第１、３の実施の形態と同様な作用効果が得られる。
【００２６】
図１０および図１１に示す本発明の第５の実施形態において、前記本発明の第１の実施の形態と主に異なる点は、ホルダー本体２に結合具１０で結合したフック１２とした点で、このように構成した発光ホルダー７Ｅは、フック１２に吊した物が発光ダイオード３の発光により一層目立つので、持っていく物等を吊しておけば忘れ物防止になるとともに、前記本発明の第１の実施の形態と同様な作用効果が得られる。
【００２７】
図１２および図１３に示す本発明の第６の実施形態において、前記本発明の第１の実施の形態と主に異なる点は、ホルダー本体２に結合具１０で結合した小物入れ１３とした点で、このように構成した発光ホルダー７Ｆは、小物入れ１３に収容した小物が、発光ダイオード３の発光により一層目立つので取り忘れや、忘れ物防止になるとともに、前記本発明の第１の実施の形態と同様な作用効果が得られる。
【００２８】
図１４および図１５に示す本発明の第７の実施形態において、前記本発明の第１の実施の形態と主に異なる点は、ホルダー本体２と小物入れ１３ａを一体とした点で、このように構成した発光ホルダー７Ｇは、ホルダー本体２の小物入れ１３ａに収容した小物が、発光ダイオード３の発光により一層目立つので、小物の取り忘れや、持っていく物を入れておけば忘れ物防止になるとともに、前記本発明の第１の実施の形態と同様な作用効果が得られる。
【００２９】
図１６および図１７に示す本発明の第８の実施形態において、前記本発明の第１の実施の形態と主に異なる点は、マグネット１を粘着材１４にした点で、このように構成した発光ホルダー７Ｈは、マグネット１で磁着できない場所にも取り付けることができるとともに、前記本発明の第１、２、３、４、５、６、７の実施の形態と同様な作用効果が得られる。
【００３０】
図１８および図１９に示す本発明の第９の実施形態において、前記本発明の第１の実施の形態と主に異なる点は、マグネット１を吸盤１５にした点で、このように構成した発光ホルダー７１は、マグネット１で磁着できない場所にも取り付けることができるとともに、前記本発明の第１、２、３、４、５、６、７の実施の形態と同様な作用効果が得られる。
【００３１】
図２０および図２１に示す本発明の第１０の実施形態において、前記本発明の第１の実施の形態と主に異なる点は、マグネット１を止め針１６にした点で、このように構成した発光ホルダー７Ｊは、マグネット１で磁着できない場所にも取り付けることができるとともに、前記本発明の第１、２、３、４、５、６、７の実施の形態と同様な作用効果が得られる。
【００３２】
【発明の効果】
以上の説明から明らかなように、本発明にあたっては次に列挙する効果が得られる。
【００３３】
（１）請求項１記載の発明は、マグネットと、そのマグネットを取り付けたホルダー本体と、そのホルダー本体に取付けた発光ダイオードや電球等の発光体と、その発光体に電気を供給するバッテリーやソーラーパネル等の電源とで構成されているので、発光ダイオードの発光により、ホルダー本体が一層目立つと共に、メモや紙等が一層目立つようになる。したがって、メモや紙等が一層引き立って強調され、着目されるので、メモや紙等に記載された内容を伝達しやすくなり、見忘れも防止できる。
【００３４】
（２）前記（１）によって、他のメモや紙等より一層目立つので、それらを探しやすくなる。
【００３５】
（３）前記（１）によって、ホワイトボード等に記入した文字や絵などの近くに取り付けて発光させることにより、その文字や絵などを一層目立たせ、引き立たせて強調させることもできる。
【００３６】
（４）前記（１）によって、日光や室内照明によりソーラーパネルで発電した電気をバッテリーに充電できるので、電圧の低下によるバッテリーの交換が不要になる。バッテリーを省略してソーラーパネルからスイッチを介して発光ダイオードに電気を供給すれば、ホルダー本体の重量が軽減できコストも削減できる。
【００３７】
（５）請求項２記載の発明は、マグネットと、そのマグネットを取り付けたホルダー本体と、そのホルダー本体に取付けた発光ダイオードや電球等の発光体と、その発光体に電気を供給するバッテリーやソーラーパネル等の電源と、前記ホルダー本体に取付けたメモや紙等を挟めるクリップとで構成されているので、前記（１）〜（４）と同様の効果が得られるとともに、クリップにもメモや紙等を挟んで保持できるので、より一層多くのメモや紙等が着目されるようになる。
【００３８】
（６）請求項３記載の発明は、マグネットと、そのマグネットを取り付けたメモや紙等を挟めるクリップと、そのクリップに取付けた発光ダイオードや電球等の発光体と、その発光体に電気を供給するバッテリーやソーラーパネル等の電源とで構成されているので、前記（１）〜（５）と同様の効果が得られるとともに、請求項２記載の発明に比較して部品数が少なくなり安価に製造できる。
【００３９】
（７）請求項４記載の発明は、マグネットと、そのマグネットを取り付けたホルダー本体と、そのホルダー本体に取付けた発光ダイオードや電球等の発光体と、その発光体に電気を供給するバッテリーやソーラーパネル等の電源と、前記ホルダー本体に取付け物を吊せるフックもしくは、物を入れる小物入れとで構成されているので、前記（１）〜（４）と同様の効果が得られるとともに、フックに吊した物や、小物入れに収容した小物が、発光ダイオードの発光により一層目立つので、小物の取り忘れや、出かける時などの忘れ物防止になる。
【００４０】
（８）請求項５記載の発明は、請求項１、２、３、４に係わる発明であり、前記発光体を点滅させることができる点滅装置を備えたことで構成されているので、点滅装置により発光ダイオードが点滅して、前記（１）〜（７）の効果がさらにより一層得られる。
【００４１】
（９）請求項６記載の発明は、請求項１、２、３、４、５に係わる発明であり、前記マグネットを粘着材、もしくは吸盤、もしくは止め針としたことで構成されているので、前記（１）〜（８）と同様の効果が得られるとともに、マグネットに磁着しない場所にも粘着材、もしくは吸盤、もしくは止め針で取り付けて利用することができるので、いろいろな場所で使用することができる。
【図面の簡単な説明】
【図１】本発明の、第１の実施の形態の平面図。
【図２】図１のＡ−Ａ線に沿う断面図。
【図３】本発明の、第１の実施の形態の使用状態の説明図。
【図４】本発明の、第２の実施の形態の平面図。
【図５】図４のＢ−Ｂ線に沿う断面図。
【図６】本発明の、第３の実施の形態の平面図。
【図７】図６のＣ−Ｃ線に沿う断面図。
【図８】本発明の、第４の実施の形態の平面図。
【図９】図８のＤ−Ｄ線に沿う断面図。
【図１０】本発明の、第５の実施の形態の平面図。
【図１１】図１０のＥ−Ｅ線に沿う断面図。
【図１２】本発明の、第６の実施の形態の平面図。
【図１３】図１２のＦ−Ｆ線に沿う断面図。
【図１４】本発明の、第７の実施の形態の平面図。
【図１５】図１４のＧ−Ｇ線に沿う断面図。
【図１６】本発明の、第８の実施の形態の平面図。
【図１７】図１６のＨ−Ｈ線に沿う断面図。
【図１８】本発明の、第９の実施の形態の平面図。
【図１９】図１８のＩ−Ｉ線に沿う断面図。
【図２０】本発明の、第１０の実施の形態の平面図。
【図２１】図２０のＪ−Ｊ線に沿う断面図。
【符号の説明】
１：マグネット
２：ホルダー本体
２ａ、２ｂ：開口部
３：発光ダイオード
４ａ、４ｂ、４ｃ、４ｄ：電線
５：スイッチ
５ａ：ＯＮ・ＯＦＦ操作部
６：バッテリー
７Ａ、７Ｂ、７Ｃ、７Ｄ、７Ｅ、７Ｆ、７Ｇ、７Ｈ、７Ｉ、７Ｊ：発光ホルダー
８：点滅装置
９：ソーラーパネル
１０：結合具
１１ａ：クリップ基部
１１ｂ、１１ｄ：リブ
１１ｃ：クリップ押さえ部
１１ｅ：枢支ピン
１１ｆ：バネ
１２：フック
１３、１３ａ：小物入れ
１４：粘着材
１５：吸盤
１６：止め針
１７：メモや紙等
１８：鉄部
【図１】
2004342568.tif 000003
【図２】
2004342568.tif 000004
【図３】
2004342568.tif 000005
【図４】
2004342568.tif 000006
【図５】
2004342568.tif 000007
【図６】
2004342568.tif 000008
【図７】
2004342568.tif 000009
【図８】
2004342568.tif 000010
【図９】
2004342568.tif 000011
【図１０】
2004342568.tif 000012
【図１１】
2004342568.tif 000013
【図１２】
2004342568.tif 000014
【図１３】
2004342568.tif 000015
【図１４】
2004342568.tif 000016
【図１５】
2004342568.tif 000017
【図１６】
2004342568.tif 000018
【図１７】
2004342568.tif 000019
【図１８】
2004342568.tif 000020
【図１９】
2004342568.tif 000021
【図２０】
2004342568.tif 000022
【図２１】
2004342568.tif 000023